(57)【要約】【課題】ボールのインパクト時にゴルフクラブヘッドによって生成される打音を変化させる打音チューニング特徴部を有するゴルフクラブを提供する。【解決手段】ゴルフクラブヘッドは打音チューニングを有する。ゴルフクラブヘッドは、内部キャビティを形成する中空の本体を有しており、中空の本体内で打音チューニング特徴部が形成される。チューニング特徴部の寸法及び位置は、ゴルフクラブヘッドの振動挙動を変化させるために選択される。【選択図】図６
2011152418.tif 000002
【特許請求の範囲】
【請求項１】
クラウン部分とソール部分とを有しており、内部キャビティを形成する本体を備えるゴルフクラブヘッドであって、
前記クラウン部分は、第１クラウン厚を有する第１クラウン厚領域と、前記第１クラウン厚よりも大きな第２クラウン厚を有する第２クラウン厚領域と、前記第１クラウン厚領域と前記第２クラウン厚領域との間の連結部を形成するクラウン移行部と、を有しており、
前記クラウン移行部は、約３６００Ｈｚ未満の周波数を有する振動モードの最大変位の少なくとも７５％を示す位置で前記クラウン部分上に配置されており、
前記ソール部分は、第１ソール厚を有する第１ソール厚領域と、前記第１ソール厚よりも大きな第２ソール厚を有する第２ソール厚領域と、前記第１ソール厚領域と前記第２ソール厚領域との間の連結部を形成するソール移行部と、を有しており、
前記ソール移行部は、約４１００Ｈｚ未満の周波数を有する振動モードの最大変位の少なくとも７５％を示す位置で前記ソール部分上に配置されるゴルフクラブヘッド。
【請求項２】
トラスシステムをさらに備え、前記トラスシステムは前記第１ソール厚領域と前記第２ソール厚領域とに交差する第１リブを備える請求項１に記載のゴルフクラブヘッド。
【請求項３】
前記トラスシステムは、前記第１リブから延びる第２リブを備える請求項２に記載のゴルフクラブヘッド。
【請求項４】
前記第２リブは前記第１ソール厚領域と前記第２ソール厚領域とに交差する請求項３に記載のゴルフクラブヘッド。
【請求項５】
前記クラウン移行部は約２．００ｍｍ未満の長さを有する請求項１に記載のゴルフクラブヘッド。
【請求項６】
前記クラウン移行部は丸みを与えられ、丸み部分は前記第１クラウン厚領域に接する請求項１に記載のゴルフクラブヘッド。
【請求項７】
前記ソール移行部は約２．００ｍｍ未満の長さを有する請求項１に記載のゴルフクラブヘッド。
【請求項８】
前記ソール移行部は丸みを与えられ、丸み部分は前記第１ソール厚領域に接する請求項１に記載のゴルフクラブヘッド。
【請求項９】
ゴルフクラブヘッドであって、
クラウン部分とソール部分とを有しており、内部キャビティを形成する本体と、
前記ソール部分に配置される第１リブを備えるトラスシステムと、を備え、
前記ソール部分は、第１ソール厚を有する第１ソール厚領域と、前記第１ソール厚よりも大きな第２ソール厚を有する第２ソール厚領域と、前記第１ソール厚領域と前記第２ソール厚領域との間に連結部を形成するソール移行部と、を有しており、
前記ソール移行部は、約４１００Ｈｚ未満の周波数を有する振動モードの最大変位の少なくとも７５％を示す位置で前記ソール部分上に配置され、
前記第１リブは前記第１ソール厚領域と前記第２ソール厚領域とに交差するゴルフクラブヘッド。
【請求項１０】
前記トラスシステムは、前記第１リブから延びる第２リブを備える請求項９に記載のゴルフクラブヘッド。
【請求項１１】
前記第２リブは前記第１ソール厚領域と前記第２ソール厚領域とに交差する請求項１０に記載のゴルフクラブヘッド。
【請求項１２】
前記ソール移行部は、約２．００ｍｍ未満の長さを有する請求項９に記載のゴルフクラブヘッド。
【請求項１３】
前記ソール移行部は丸みを与えられ、丸み部分は前記第１ソール厚領域に接する請求項９に記載のゴルフクラブヘッド。
【請求項１４】
クラウン部分とソール部分とを有しており、内部キャビティを形成する本体を備えるゴルフクラブヘッドであって、
前記クラウン部分は、第１クラウン厚を有する第１クラウン厚領域と、前記第１クラウン厚よりも大きな第２クラウン厚を有する第２クラウン厚領域と、前記第１クラウン厚領域と前記第２クラウン厚領域との間で連結部を形成するクラウン移行部と、を有しており、
前記クラウン移行部は、約３６００Ｈｚ未満の周波数を有する振動モードの最大変位の領域の約１５ｍｍの範囲内の位置で前記クラウン部分上に配置されて、
前記クラウン移行部は約２．００ｍｍ未満の長さを有しており、
前記クラウン移行部は丸みを与えられ、丸み部分は前記第１クラウン厚領域に接するゴルフクラブヘッド。
【請求項１５】
前記ソール部分は、第１ソール厚を有する第１ソール厚領域と、前記第１ソール厚よりも大きい第２ソール厚を有する第２ソール厚領域と、前記第１ソール厚領域と前記第２ソール厚領域との間で連結部を形成するソール移行部と、を有する請求項１４に記載のゴルフクラブヘッド。
【請求項１６】
前記ソール移行部は、約４１００Ｈｚ未満の周波数を有する振動モードの最大変位の領域の約１５ｍｍの範囲内の位置で前記ソール部分上に配置される請求項１５に記載のゴルフクラブヘッド。
【請求項１７】
前記ソール移行部は約２．００ｍｍ未満の長さを有する請求項１５に記載のゴルフクラブヘッド。
【請求項１８】
前記ソール移行部は丸みを与えられ、丸み部分は前記第１ソール厚領域に接する請求項１５に記載のゴルフクラブヘッド。
【発明の詳細な説明】
【技術分野】
【０００１】
本発明は概して、ゴルフクラブヘッドに関し、さらに具体的には、打音チューニング特徴部を有する中空のゴルフクラブヘッドに関する。
【背景技術】
【０００２】
中空のゴルフクラブヘッドのサイズが増大してきたので、重量の分配が、考慮されるべき主要な設計事項になってきた。特に、任意の質量を提供すると同時に所望の体積を有するゴルフクラブヘッドを設計することを探求して、質量特性の改善に直接的に貢献しない部分の壁厚を減少させることが望まれるようになってきた。ゴルフクラブヘッドの薄い壁と大きな体積とのせいで、ヘッドの大部分が膜として機能して互いに対して振動する。ある場合には、比較的に低い周波数で振動が生じ、その結果、ゴルフクラブヘッドとゴルフボールとのインパクト時に魅力のない打音と打感とを生じさせる。
【０００３】
ゴルフクラブヘッドの打音をチューニングするこれまでの試みは概して、ゴルフボールとのインパクトによって生じる最大振動の変位を示すクラブヘッドの一部の剛性を増大させるために材料を追加することであった。例えば、ゴルフクラブヘッドのクラウン及びソールの少なくともいずれか一方にそれら一部の剛性を高めるためにしばしばリブが組み込まれる。残念ながら、多くの場合、ソール及びクラウン内へのリブの追加は、クラブヘッドの任意の質量を減少させ、クラブヘッドの重心及び慣性モーメントをコントロールするために理想とは言えない位置に追加の質量を配置することを余儀なくさせる。
【０００４】
打音チューニング特徴部は中空本体のゴルフクラブに組み込まれた。１つの例が、ヤブ（Yabu）に付与された特許文献１「ゴルフクラブヘッド及びその製造方法」で説明される。この例では、中空本体のゴルフクラブヘッドは、ソール及びクラウンの内面を形成するリブ状の壁を有する。ゴルフボールとの接触に起因して中空キャビティ内に発せられる打音は、後方に向かい、リブによって横方向に分けられる。いくつかの実施形態は、クラブフェースの背後に僅かな距離で配置されてクラウンとソールとの間で延びる打音バーを有する。打音バーは、打音の振動をさらに分けるために組み込まれる。
【０００５】
もう１つの例が、リン（Lin）に付与された特許文献２「ボールの打撃時に打音を生じさせるゴルフクラブヘッド」で説明される。この例では、ゴルフクラブヘッドは、クラブヘッドの中空本体内に配置される打音プレートを有しており、打音プレートは、クラブヘッドとゴルフボールとのインパクト時に打音を生じさせて打音を反響させる。打音プレートの一方の縁は中空のクラブヘッドの壁に固定され、他方の縁は、クラブヘッドの残余部に対して打音プレートが振動することができるように取り付けられていない。
【先行技術文献】
【特許文献】
【０００６】
【特許文献１】米国特許第６８５２０３８号明細書
【特許文献２】米国特許第５７１８６４１号明細書
【発明の概要】
【発明が解決しようとする課題】
【０００７】
ボールのインパクト時にゴルフクラブヘッドによって生成される打音を変化させる打音チューニング特徴部を有するゴルフクラブを提供することが望ましい。
【課題を解決するための手段】
【０００８】
本発明は、所望の打音を生み出すためにゴルフクラブヘッドの振動特性を変化させることが可能な打音チューニングを有するゴルフクラブヘッドに関する。
【０００９】
一実施形態では、ゴルフクラブヘッドは、クラウン部分とソール部分とを有する本体であって、内部キャビティを形成する本体を有する。クラウン部分は、第１クラウン厚を有する第１クラウン厚領域と、第１クラウン厚よりも大きな第２クラウン厚を有する第２クラウン厚領域と、クラウン移行部と、を有する。クラウン移行部は、第１クラウン厚領域と第２クラウン厚領域との間の連結部であって、約３６００Ｈｚ未満の周波数を有する振動モードの最大変位の少なくとも７５％を示す位置でクラウン部分上に配置される連結部を形成する。ソール部分は、第１ソール厚を有する第１ソール厚領域と、第１ソール厚よりも大きな第２ソール厚を有する第２ソール厚領域と、ソール移行部と、を有する。ソール移行部は、第１ソール厚領域と第２ソール厚領域との間の連結部であって、約４１００Ｈｚ未満の周波数を有する振動モードの最大変位の少なくとも７５％を示す位置でソール部分上に配置される連結部を形成する。
【００１０】
別の実施形態では、ゴルフクラブヘッドは、本体と、トラスシステムと、を有する。本体は、クラウン部分とソール部分とを有し、内部キャビティを形成する。トラスシステムは、ソール部分に配置される第１リブを備える。ソール部分は、第１ソール厚を有する第１ソール厚領域と、第１ソール厚よりも大きな第２ソール厚を有する第２ソール厚領域と、ソール移行部と、を有する。ソール移行部は、第１ソール厚領域と第２ソール厚領域との間の連結部であって、約４１００Ｈｚ未満の周波数を有する振動モードの最大変位の少なくとも７５％を示す位置でソール部分上に配置される連結部を形成する。第１リブは第１ソール厚領域と第２ソール厚領域とに交差する。
【００１１】
さらなる実施形態では、ゴルフクラブヘッドは、クラウン部分とソール部分とを有する本体を有しており、内部キャビティを形成する。クラウン部分は、第１クラウン厚を有する第１クラウン厚領域と、第１クラウン厚よりも大きな第２クラウン厚を有する第２クラウン厚領域と、クラウン移行部と、を有する。クラウン移行部は、第１クラウン厚領域と第２クラウン厚領域との間の連結部であって、約３６００Ｈｚ未満の周波数を有する振動モードの最大変位の領域の約１５ｍｍの範囲内にある位置でクラウン部分上に配置される連結部を形成する。クラウン移行部は、約２．００ｍｍ未満の長さを有しており、丸みを与えられ、丸み部分は第１クラウン厚領域に接する。
【００１２】
明細書の一部を形成して明細書に関連して読まれるべき添付の図面では、異なる図において同等の部品を示すために同等の参照符号が用いられる。
【図面の簡単な説明】
【００１３】
【図１】本発明に係る打音チューニング特徴部を有するゴルフクラブヘッドの斜視図である。
【図２】振動モードのトポグラフィ（topography）を示す、打音チューニング特徴部を有しないゴルフクラブヘッドの概略的な底面図である。
【図３】振動モードの変化したトポグラフィを示す、打音チューニング特徴部を有する図２のゴルフクラブヘッドの別の概念的な底面図である。
【図４】振動モードのトポグラフィを示す、打音チューニング特徴部を有しないゴルフクラブヘッドの概略的な平面図である。
【図５】振動モードの変化したトポグラフィを示す、打音チューニング特徴部を有する図４のゴルフクラブヘッドの別の概念的な平面図である。
【図６】図１のゴルフクラブヘッドの断面図である。
【図７】図６の詳細Ｉに対応するゴルフクラブヘッドのクラウン部分の詳細図である。
【図８】図６の詳細ＩＩに対応するゴルフクラブヘッドのクラウン部分の別の詳細図である。
【図９】図６の詳細ＩＩＩに対応するゴルフクラブヘッドのソール部分の詳細図である。
【発明を実施するための形態】
【００１４】
本発明は、打音チューニング特徴部を有するゴルフクラブヘッドに関する。打音チューニング特徴部には、任意の所望の周波数と、振幅及び時間の少なくともいずれか一方とに合わせて、ゴルフクラブヘッドによって生み出される打音を調整することが含まれる。
【００１５】
実施例以外に、又は明確に特定されない限り、明細書の以下の箇所において、例えば材料の量、慣性モーメント、重心の位置、ロフト角、ドラフト角、及びその他、のすべての数値範囲、量、数値、及び割合は、数値、量、又は範囲とともに単語「約」が明確に表されていなくても、あたかも単語「約」が前置きされているように読まれ得る。従って、それとは反対に示されない限り、以下の明細書及び添付の特許請求の範囲で説明される数値パラメータは、本発明によって得られると考えられる所望の特性に応じて変化し得る近似値である。少なくとも、特許請求の範囲に記載の本発明の範囲に均等論の適用を限定する試みとしてではなく、各数値パラメータは、報告された有効桁数に関して、かつ、通常の丸めの技術を適用することによって、少なくとも解釈されるべきである。
【００１６】
本発明の概略の範囲を説明する数値範囲及び数値パラメータが近似値であるにも拘わらず、特定の実施例で説明される数値はできる限り正確に報告される。しかしながら、任意の数値は、それらのテスト測定において発見された標準偏差から必然的に生じるある誤差を本質的に包含する。さらに、可変範囲の数値範囲がここで説明される場合には、列挙される数値を含めたそれらの数値の任意の組み合わせが用いられ得ることが意図される。
【００１７】
すべてのゴルフクラブは、ゴルフボールを打つために用いられる時に別個の打音と打感とを生み出す。ゴルフクラブヘッドの設計の結果であるゴルフクラブヘッドの振動挙動によって打音と打感とが生み出される。ゴルフクラブヘッドの設計は分析され、ゴルフクラブヘッドによって生み出される打音と打感とが平均的なゴルファーに受け入れられるものであるかどうかを決定するための試みにおいて特定の設計の振動特性を特徴付けるため、サンプルがテストされる。特に、クラブヘッドの様々な振動モードに対して周波数の値と変位の形状とが決定される。低い周波数モード、特に、約３５００Ｈｚ未満の周波数でのモードは、特定のゴルフクラブヘッドの打音と打感とに有害な影響を与える傾向を有することが一般に理解されている。
【００１８】
図１を参照して、固有の打音修正特徴部を有するゴルフクラブヘッドを説明する。ゴルフクラブヘッド１０は、クラウン部分１２と、ヒール部分１４と、トウ部分１６と、後側部分１８と、前側部分２０と、ホーゼル２２と、ソール部分２４と、を概して有しており、それらは結合して、内部キャビティを有するほぼ中空の本体を形成する。前側部分２０は、ゴルフボールを打つ打撃フェース２１を有する。クラウン部分１２は、前側部分２０から後方に延びて、クラブヘッド１０の上面を形成する。ヒール部分１４とトウ部分１６とは、クラブヘッド１０の側壁を形成して、クラウン部分１２の縁からほぼ下方に延びるとともに前側部分２０の側縁から後方に延びる。後側部分１８は、ヒール部分１４とトウ部分１６との間でクラブヘッド１０の側壁を完成させる。ソール部分２４は、前側部分２０の下縁、ヒール部分１４の下縁、トウ部分１６の下縁、及び後側部分１８の下縁の間で広がって、クラブヘッド１０の底面をほぼ形成する。
【００１９】
ゴルフクラブヘッド１０は、振動モードの周波数と変位形状とをコントロールすることによってゴルフクラブヘッドの打音をチューニングする構造的特徴部を有する。概して、約３５００Ｈｚ未満の振動モードの周波数は望ましくなく、従って、第１振動モードが３５００Ｈｚ以上の周波数である構造的特徴部を有することが望ましい。特に、ゴルフクラブヘッド１０は、クラブヘッドの質量を好都合にコントロールすると同時にクラブヘッドの振動モードをコントロールする打音チューニング特徴部を有する。例えば、以下にさらに詳細に説明されるように、クラブヘッドの別個の領域に質量を追加する及び別個の領域から質量を除去する特徴部は、ゴルフクラブヘッドの振動挙動を変化させるために用いられる。質量は複数の領域でコントロールされる、又は、振動モードにおいて隣接する１以上のホットスポットでコントロールされる。ここで用いられるように、ホットスポットは、振動モードの周波数で大きな変位を示す構造の局所的領域である。各振動モードでは、その振動モードのための構造に対して最大変位を示す第１のホットスポットが一般に存在する。いくつかの振動モードは、局所的な最大変位を示すものの第１のホットスポットの最大変位より小さな変位を有する第２の及び／又は第３のホットスポットも示す。
【００２０】
ほぼ一定の厚さのクラウン部分及びソール部分を有するゴルフクラブが有限要素解析（ＦＥＡ）を用いて分析され、最も低い周波数の振動モード（すなわち、第１モード）が図２に示されるようなものとして特定された。この例では、モデル化されたゴルフクラブヘッドは、約２９４６Ｈｚの周波数を有する第１モードを示した。その振動モードの最大変位の位置、すなわち、第１のホットスポットは、クラブヘッドのソール上でほぼ位置Ａにあることが特定された。第２のホットスポットは、トウ部分１６の近くでソール上のほぼ位置Ｂにあることが特定された。振動モードはソール上で最大変位を有しており、かつ、ゴルフクラブヘッドの重心を低くすることが概して求められていることから、質量を増大させる打音チューニング特徴部はゴルフクラブヘッド１０のソール部分２４に追加された。
【００２１】
特に、トラスシステム２５がソール部分２４に追加された。トラスシステム２５は第１リブ２６と第２リブ２８とを有する。第１リブ２６は、概ねクラブヘッド１０を横切ってヒール−トウ方向に延びる。第２リブ２８は、クラブヘッド１０のトウ部分１６にほぼ隣接して配置され、第１リブ２６からトウ部分１６と前側部分２０とのほぼ交差位置に向かって延びる。
【００２２】
第１及び第２リブ２６、２８は、図２の解析振動モードの隣接する第１及び第２のホットスポットであるソール部分２４上の位置を当該第１及び第２リブ２６、２８が通るように方向付けられる。特に、第１リブ２６は、第１のホットスポットの最大変位の少なくとも７５％の大きさを有する変位を示すソール部分２４上の位置を通って延びる。より好適には、第１リブ２６は、第１のホットスポットの最大変位の少なくとも８５％の大きさを有する変位を示す第１のホットスポットに近い位置を通って延びる。第２リブ２８は、その場所の大きな相対変位を示すソール部分２４の位置を通って同様に延びる。特に、第２リブ２８は、第２のホットスポットの最大変位の少なくとも７５％、より好適には８５％の変位の大きさを示す位置を通って延びる。
【００２３】
トラスシステム２５の追加は、解析モデルの第１モードの周波数を約３３１０Ｈｚまで増大させたものの、図３に示されるように、振動モードの変位プロファイルを徐々に変化させたのみであった。トラスシステム２５の追加にも拘わらず、クラブヘッドが依然として約３５００Ｈｚ未満の第１モードの周波数を示したことから、ソール部分２４の厚さを０．０５ｍｍだけ一様に増大させた。しかしながら、その厚さの変化は、その振動モードの周波数を徐々に増大させるのみであった。
【００２４】
従来行われていたように、周波数をさらに増大させるために例えばリブなどの質量を局所的に追加する追加の打音チューニング特徴部を追加することに代えて、ソール部分２４の所定の領域の厚さは、低減されて、振動モードの周波数を顕著に増大させる予期せぬ結果をもたらした。減少厚領域３０は、図３に示されるように、当該減少厚領域３０の縁が第１及び第２のホットスポットに隣接して配置されるような大きさで配置された。特に、減少厚領域３０は、ソール部分２４の周囲の領域よりも約０．０５ｍｍ小さい厚さを有する。好適には、減少厚領域３０の縁は、最も近いホットスポットの最大変位の少なくとも７５％、より好適には８５％を示す単一のホットスポットに隣接した位置を通って延びる。縁が１つの又は複数のホットスポットに隣接して配置されるように方向付けられる複数の減少厚領域が組み込まれてよいことが理解されよう。
【００２５】
ソール部分２４に減少厚領域３０を追加することは、そのモードの周波数を約４０１３Ｈｚまで増加させる結果を生じ、その結果、その周波数は、ゴルフクラブヘッドの最も低い周波数モードではもはやない。代わりに、ソール部分２４に打音チューニング特徴部を追加した後では、解析した最も低い周波数モードが、ほぼ一定の厚さを有するクラウン部分を有するモデルにおいて、図４に示されるように、位置Ｃで約３３８０Ｈｚの周波数でクラウン上にあることが特定された。
【００２６】
図５に示されるように、減少厚領域３２がクラウン部分１２内に組み込まれた。減少厚領域３２は、当該減少厚領域３２の縁が解析振動モードの第１のホットスポットに隣接して配置されるような大きさで配置される。好適には、減少厚領域３２の縁は、ホットスポットの最大変位の少なくとも７５％、より好適には８５％を示すクラウンホットスポットに隣接した位置を通って延びる。その変化の結果、振動モードの周波数は、約３４２２Ｈｚまで増大し、振動モードの変位形状を徐々に変化させた。最終的に、クラウンの厚さは、減少厚領域３２及び周辺の減少厚領域３４の両方で約０．１０ｍｍだけ増大した。その結果、振動モードの周波数は約３５００Ｈｚまで増大した。
【００２７】
打音チューニング特徴部を有する少なくとも一部は、当該打音チューニング特徴部が局所的な振動挙動に顕著な影響を有するように解析振動モードのホットスポットに隣接して位置決めされる。上述したように、打音チューニング特徴部は、その特徴部を欠くクラブヘッドの解析モデルの振動変位値に基づいて好適に配置される。しかしながら、代替的に、打音チューニング特徴部は、当該打音チューニング特徴部が当該変位の相対的な大きさに拘わらず最大変位を示す位置の距離内に配置されるように、位置決めされてよいことが理解されよう。例えば、打音チューニング特徴部は、最も近いホットスポットの少なくとも１５ｍｍの範囲内、より好適には１０ｍｍの範囲内にある位置を通って延びる。さらに、クラウン部分１２及びソール部分２４の減少厚部分は任意の形状を有してよい。
【００２８】
ここで、図６〜図９を参照すると、クラブヘッド１０の打音チューニング特徴部が以下にさら詳細に説明される。チューニング特徴部は、例えばトラスシステム２５といった質量増大特徴部と、例えば減少厚領域３０、３２といった質量減少特徴部と、を有する。
【００２９】
例示の実施形態では、トラスシステム２５は、相互に連結されたリブ２６、２８を有する。第１リブ２６は、ヒール−トウ方向にクラブヘッド１０をほぼ横切って延び、クラブヘッドがアドレス位置にある時にゴルフクラブヘッドの重心の後方かつ下方に配置される。第１リブ２６は概ね、約９０ｍｍ〜約１２０ｍｍの長さと、約０．１２５ｍｍ〜約１．５０ｍｍの厚さと、ソール−クラウン方向に約０．２５  １１１ｍ〜約１５ｍｍの最大高さと、を有する。第２リブ２８は、トウ部分１６にほぼ隣接して配置されて、第１リブ２６からほぼトウ側にかつ前方に延びる。第２リブ２８は、約３０ｍｍ〜約６０ｍｍの長さと、約０．１２５ｍｍ〜約１．５０ｍｍの厚さと、ソール−クラウン方向に約０．２５ｍｍ〜約１５ｍｍの最大高さと、を有する。トラスシステムは、相互に連結される構成要素又は別個の構成要素である任意の数のリブ又はパッドを有してよく、特徴部は、一体的に鋳造された特徴部若しくは鍛造された特徴部として構築されるか、又は、別個に構築されてクラブヘッドに結合されて構築されてよいことが理解されよう。さらに、トラスシステムを形成する特徴部の厚さは、クラウン部分及びソール部分の厚い部分及び減少厚部分よりも大きい。
【００３０】
減少厚領域３０及び減少厚領域３２の縁は、僅かな距離で相対的に劇的に厚さを変化させるように構成されている。その構成は、隣接する厚さ領域同士の間に、ホットスポットをほぼ通って延びる段差付きの連結部を提供する。特に、減少厚領域３０は、ソール部分２４の隣接領域に対して減少した厚さを有する。概して、セール部分２４は約０．６０ｍｍ〜約１．００ｍｍの厚さを有しており、減少厚領域３０は、ソール部分３４の残余部の厚さの約８５％〜約９５％の厚さを有している。好適には、減少厚領域３２は約０．５０ｍｍ〜約０．９５ｍｍの厚さを有する。
【００３１】
図９に示される移行部領域３１は、ソール部分２４の厚い領域と減少厚領域３０との間に連結部を提供する。移行部領域３１の長さＸｓは、好適には約２．００ｍｍ未満であり、より好適には約１．２０ｍｍ未満である。移行部領域３１は所望の任意の形状を有してよい。例えば、移行部領域３１は、例えば湾曲線の又は直線の任意の断面形状を有してよく、すなわち、移行部領域は、図示されるように、概ね丸みを与えられてよく、又は、ほぼ円錐形であってよい。好適には、移行部領域３１は丸みを与えられ、丸み部分Ｒｓは約２．００ｍｍ〜約４．００ｍｍである。さらに、丸み部分Ｒｓは、当該丸み部分Ｒｓが減少厚領域３０に接するように構成されることが好ましい。移行部領域には、領域３０とソール部分２４の残余部との間の円滑な移行部を有することに代えて、段差が付けられてもよいことがさらに理解されよう。
【００３２】
同様に、減少厚領域３２は、隣接した周辺領域３４に対して減少した厚さを有する。一般に、周辺領域３４は約０．６０ｍｍ〜約１．００ｍｍの厚さを有しており、減少厚領域３２は、厚い部分すなわち周辺領域３４の約６５％〜約８０％の厚さを有しており、より好適には、減少厚領域３２は、周辺領域３４の厚い部分の約７０％〜約７５％の厚さを有する。好適には、減少厚領域３２は約００４０ｍｍ〜約０．８０ｍｍの厚さを有する。
【００３３】
移行部領域３３は、厚い周辺領域３４と減少厚領域３２との間の連結部を提供する。移行部領域３３の長さＸｃは、好適には約２．００ｍｍ未満であり、より好適には約１．２０ｍｍ未満である。移行部領域３３は所望の任意の形状を有してよい。例えば、移行部領域３３は、例えば湾曲線の又は直線の任意の断面形状を有してよく、すなわち、図示されるように、概ね丸みを与えられてよく、又は、ほぼ円錐形であってよい。好適には、移行部領域３３は丸みを与えられ、丸み部分Ｒｃは約２．００ｍｍ〜約４．００ｍｍである。さらに、丸み部分Ｒｃは、当該丸み部分Ｒｃが減少厚領域３２に接するように構成されることが好ましい。移行部領域には、減少厚領域３２と周辺部分３４との間で円滑な移行部を有することに代えて、段差が付けられてもよいことがさらに理解されよう。
【００３４】
ここで開示される本発明の例示の実施形態が上述の目的を満たすことが明らかであるものの、多数の変形及び他の実施形態が当業者によって考案され得ることが理解されよう。一実施形態の構成要素は他の実施形態に組み込まれることが可能である。従って、添付の特許請求の範囲は、本発明の精神及び範囲内にあるそうしたすべての変形及び実施形態をカバーすることが意図されている。
【符号の説明】
【００３５】
１０    ゴルフクラブヘッド
１２    クラウン部分
２４    ソール部分
２５    トラスシステム
２６    第１リブ
２８    第２リブ
３０    第１ソール厚領域
３１    ソール移行部
３２    第１クラウン厚領域
３３    クラウン移行部
３４    第２クラウン厚領域
【図１】
2011152418.tif 000003
【図２】
2011152418.tif 000004
【図３】
2011152418.tif 000005
【図４】
2011152418.tif 000006
【図５】
2011152418.tif 000007
【図６】
2011152418.tif 000008
【図７】
2011152418.tif 000009
【図８】
2011152418.tif 000010
【図９】
2011152418.tif 000011
【外国語明細書】
2011152418000001.pdf